(57)【特許請求の範囲】
【請求項１】
弾性材料にて一体成形され一端側に向かって徐々に細く形成されると共に表面が外反り形状に形成された中竿摺動抑止部を有し、該中竿摺動抑止部の他端側には長手方向の長さを調整するために切断して使用される長さ調整部が設けられ、外竿の先端開口より前記一端側から挿入されて前記外竿内の複数の中竿を前記中竿摺動抑止部の表面にて係止することを特徴とする中竿摺動抑止部材。
【請求項２】
前記中竿摺動抑止部の先端部には穂先用凹部が形成され、該穂先用凹部内に穂先が収納されるように構成されている請求項１に記載の中竿摺動抑止部材。
【請求項３】
前記弾性材料は発泡体である請求項１または２に記載の中竿摺動抑止部材。
【請求項４】
前記中竿摺動抑止部の表面には長手方向に延在した長溝部が設けられている請求項１ないし３のいずれかに記載の中竿摺動抑止部材。
【請求項５】
前記中竿摺動抑止部の他端側には上栓部が設けられている請求項１ないし４のいずれかに記載の中竿摺動抑止部材。
【発明の詳細な説明】
【技術分野】
【０００１】
本発明は、手元竿（外竿）内に収納された中竿の摺動を抑止するための中竿摺動抑止部材に関する。
【背景技術】
【０００２】
従来より、例えば図９または図１０に示すように、手元竿である外竿５０内に穂先を備えた中竿５１ａの他、複数の中竿５１ｂ，５１ｃ，５１ｄ，５１ｅ，５１ｇを収納した釣竿が多用されている。これらの中竿５１ａ，５１ｂ，５１ｃ，５１ｄ，５１ｅ，５１ｇはそれぞれ先端側に向かってテーパーに形成されており径や長さが異なるため、中竿５１ａ，５１ｂ，５１ｃ，５１ｄ，５１ｅ，５１ｇ同士が、図９に示すように長手方向ｈや径方向ｋに相対的に摺動し干渉し合って損傷することがあった。また、相互摩擦によって外竿５０や中竿５１ａ，５１ｂ，５１ｃ，５１ｄ，５１ｅ，５１ｇが徐々に削られて粉となり雨の日にはそれらが黒汁となって流出するなどの問題があった。
【発明の開示】
【発明が解決しようとする課題】
【０００３】
そこで、本発明の課題は、外竿内に収納された複数の中竿の摺動を抑止して釣竿の損傷を防止することができ、釣竿の長期使用を可能とする中竿摺動抑止部材を提供することにある。
【課題を解決するための手段】
【０００４】
上記課題を解決するものは、弾性材料にて一体成形され一端側に向かって徐々に細く形成されると共に表面が外反り形状に形成された中竿摺動抑止部を有し、該中竿摺動抑止部の他端側には長手方向の長さを調整するために切断して使用される長さ調整部が設けられ、外竿の先端開口より前記一端側から挿入されて前記外竿内の複数の中竿を前記中竿摺動抑止部の表面にて係止することを特徴とする中竿摺動抑止部材である。
【０００５】
前記中竿摺動抑止部の先端部には穂先用凹部が形成され、該穂先用凹部内に穂先が収納されるように構成されていることが好ましい。
【０００６】
前記中竿摺動抑止部はテーパー部に形成されていることが好ましい。前記弾性材料は発泡体にて形成されていることが好ましい。前記中竿摺動抑止部の表面（側面）には長手方向に延在した長溝部が設けられていてもよい。前記中竿摺動抑止部は多角錐形状に形成されていてもよい。前記中竿摺動抑止部は外反り形状に形成されていることが好ましい。前記中竿摺動抑止部の他端側には上栓部が設けられていることが好ましい。前記中竿摺動抑止部材の他端側表面には、エア抜き溝が設けられていることが好ましい。
【発明の効果】
【０００７】
請求項１に記載の発明によれば、外竿内に収納された複数の中竿の摺動を抑止して釣竿の損傷を防止することができ、釣竿のより長期な使用を可能とすることができる。
請求項２に記載の発明によれば、穂先用凹部内に中竿の穂先を収納することができる。
請求項３に記載の発明によれば、中竿摺動抑止部が柔軟になり各中竿の先端開口から侵入させ易くなると共に外竿および中竿を傷付けることもなく、さらにその反力によって係止力も程良い強さとなる。
請求項４に記載の発明によれば、長溝部が収縮することで中竿摺動抑止部を各中竿の先端開口から侵入させ易くなると共に、侵入後は長溝部が拡張する反力によってより強い係止力が得られる。
請求項５に記載の発明によれば、中竿摺動抑止部材を釣竿に装着した際、上栓部が上栓と機能すると共に、装着を外す際にも、上栓部を把持して中竿摺動抑止部材を容易に引き抜くことができる。
【図面の簡単な説明】
【０００８】
【図１】本発明の中竿摺動抑止部材の一実施例の斜視図である。
【図２】図１に示した中竿摺動抑止部材の使用方法を説明するための透視図である。
【図３】図１に示した中竿摺動抑止部材の使用方法を説明するための部分透視斜視図である。
【図４】本発明の中竿摺動抑止部材の他の実施例の斜視図である。
【図５】本発明の中竿摺動抑止部材の他の実施例の斜視図である。
【図６】本発明の中竿摺動抑止部材の他の実施例の側面図である。
【図７】図６に示した中竿摺動抑止部材のＸ−Ｘ線断面図である。
【図８】図６に示した中竿摺動抑止部材の中央縦断面図である。
【図９】従来の釣竿の透視図である。
【図１０】従来の釣竿の部分透視斜視図である。
【発明を実施するための形態】
【０００９】
本発明では、一端側に向かって徐々に細く形成された中竿摺動抑止部２を有し、外竿１０の先端開口１１より一端側から挿入されて外竿１０内の複数の中竿１２ａ，１２ｂ，１２ｃ，１２ｄ，１２ｅ，１２ｆ，１２ｇを係止することで、中竿１２ａ，１２ｂ，１２ｃ，１２ｄ，１２ｅ，１２ｆ，１２ｇの摺動が抑止され、釣竿の損傷を防止することができ、釣竿の長期使用を可能とする中竿摺動抑止部材を実現した。
【実施例１】
【００１０】
この実施例の中竿摺動抑止部材１は、図１に示すように、一端側に向かって徐々に細く形成された中竿摺動抑止部２を有し、図２に示すように外竿１０の先端開口１１より前記一端側から挿入されて外竿１０内の複数の中竿１２ａ，１２ｂ，１２ｃ，１２ｄ，１２ｅ，１２ｆ，１２ｇの先端側を係止するように構成されている。以下、各構成について順次詳述する。
【００１１】
この実施例の中竿摺動抑止部材１は、図１に示すように、一端側に向かって徐々に細く形成された中竿摺動抑止部２がテーパー部（円錐状に次第に縮径した形状）に形成されている。これにより、中竿摺動抑止部２が滑らかな円錐状となって各中竿１２ｂ，１２ｃ，１２ｄ，１２ｅ，１２ｆ，１２ｇの先端開口から侵入させ易くなると共に、各中竿１２ｂ，１２ｃ，１２ｄ，１２ｅ，１２ｆ，１２ｇの先端開口の全周で安定して係合するため長手方向にも径方向にも安定した係止力が得られる。
【００１２】
ただし、本発明の中竿摺動抑止部材１における中竿摺動抑止部２がテーパー部に形成されたものに限定されず、一端側に向かって徐々に細く形成され、各中竿１２ｂ，１２ｃ，１２ｄ，１２ｅ，１２ｆ，１２ｇ内に侵入可能な形状のものを広く包含するものであり、この実施例のように連続的に徐々に細く形成されたものの他、段階的に徐々に細く形成されたものなども広く本発明の範疇に包含される。
【００１３】
本発明の中竿摺動抑止部材は、少なくとも中竿摺動抑止部が弾性材料や柔軟性材料にて形成されることが好ましく、これにより、外竿や各中竿と接触してもそれらを損傷させることがない中竿摺動抑止部材となる。弾性材料や柔軟性材料としては、例えばゴム材、エラストマー、軟質樹脂、コルク材などの軟質木質系材料などが挙げられる。
【００１４】
この実施例の中竿摺動抑止部材１は、中竿摺動抑止部２のみならず、全体が弾性材料にて一体成形されており、特に弾性発泡体にて形成されている。これにより、中竿摺動抑止部２がより柔軟なものとなり各中竿の先端開口から侵入させ易くなると共に、反力（反発力）により係止力や保持力も程良い強さの中竿摺動抑止部材を構成できる。
【００１５】
すなわち、中竿摺動抑止部材のうち、少なくとも各中竿と接触する中竿摺動抑止部の形成材料は、各中竿を損傷させない柔軟性、各中竿を係止して摺動を抑止するための係止力（中竿に対して係止できるだけの摩擦抵抗を示すこと）、各中竿と接触した場合に各中竿を保持するだけの保持力（強度および容易に分断しない強靱性）などを有するものであることが好ましい。
【００１６】
中竿摺動抑止部２の他端側には、図１または図２に示すように、長さ調整部３が一体成形されている。この長さ調整部３は、中竿摺動抑止部材１を釣竿２０内に配置する際に長手方向の長さを調整するための部位であり、各中竿１２ａ，１２ｂ，１２ｃ，１２ｄ，１２ｅ，１２ｆ，１２ｇの長手方向や径方向への摺動を抑止できる位置に中竿摺動抑止部２を配置するために設けられた部位である。使用する釣竿に応じて、長手方向の長さを調整するためにこの長さ調整部３を切断して使用する。そして、長さ調整部３の他端面側には上栓１４の一端面（具体的にはゴム栓１４ａの一端面）が固着されてもよく、上栓１４の一端面が固着されることなく長さ調整部３の他端面側が上栓１４の一端面に押圧されていてもよく、さらに上栓の一端面と長さ調整部３の他端面が多少離間するものであってもよい。
【００１７】
また、この実施例の長さ調整部３は、装着する釣竿２０の外竿１０の内径より若干小さな外径を有する円柱体に形成されているが、これに限定されるものでなく、外竿内に挿入可能で中竿摺動抑止部材の長手方向に一定の長さを有するものであればどのような形態のものでもよく、さらに、中竿摺動抑止部のみからなり、長さ調整部を有しないものも、本発明の中竿摺動抑止部材の範疇に包含される。
【００１８】
中竿摺動抑止部２が一端側に向かって徐々に細く形成される度合い（傾き：径方向の長さ／長手方向の長さ）は、使用される釣竿内の各中竿の長さに応じて適宜決定され、外竿１０を垂直方向に立てることで外竿１０内において各中竿１２ｂ，１２ｃ，１２ｄ，１２ｅ，１２ｆ，１２ｇの一端側を尻栓１３側に移動させた状態で、各中竿１２ｂ，１２ｃ，１２ｄ，１２ｅ，１２ｆ，１２ｇの先端側（他端側、図２または図３中上端側）開口内周部にそれぞれ中竿摺動抑止部２の外面が存在するように徐々に細く形成される。
【００１９】
この場合、各中竿１２ｂ，１２ｃ，１２ｄ，１２ｅ，１２ｆ，１２ｇの先端側（他端側、図２または図３中上端側）開口内周部に中竿摺動抑止部２の外面が押圧するように接触することが各中竿１２ｂ，１２ｃ，１２ｄ，１２ｅ，１２ｆ，１２ｇの摺動を確実に抑止することができ好ましいが、両者が触れる程度に接触するもの、両者が若干離間することとなる中竿摺動抑止部材も本発明の範疇に包含される。
【００２０】
そして、中竿摺動抑止部材１は、図２または図３に示すように外竿１０の先端開口１１より一端（中竿摺動抑止部２）側から挿入されて外竿１０内の複数の中竿１２ａ，１２ｂ，１２ｃ，１２ｄ，１２ｅ，１２ｆ，１２ｇを係止するように構成されている。
【００２１】
なお、中竿１２ａの穂先は、図３に示すように、中竿摺動抑止部２の先端部の側面に当接して係止されているが、中竿摺動抑止部の先端部に穂先用凹部が形成され、穂先用凹部内に中竿１２ａの穂先が収納されるように構成されたものも本発明の範疇に包含される。
【００２２】
つぎに、本発明の中竿摺動抑止部材を用いた釣竿について図２または図３に示した一実施例を用いて説明する。
この実施例の釣竿２０は、手元竿である外竿１０と、外竿１０内に収納された７本の中竿１２ａ，１２ｂ，１２ｃ，１２ｄ，１２ｅ，１２ｆ，１２ｇと、外竿１０の基端側に設けられた尻栓１３と、外竿１０の先端側に設けられた上栓１４と、中竿摺動抑止部材１とを有し、中竿摺動抑止部材１は、一端側に向かって徐々に細く形成され弾性材料にて形成された中竿摺動抑止部２を有し、外竿１０の先端開口１１より中竿摺動抑止部材１が前記一端（中竿摺動抑止部２）側から挿入されて外竿１０内の複数の中竿１２ａ，１２ｂ，１２ｃ，１２ｄ，１２ｅ，１２ｆ，１２ｇを係止している釣竿である。以下、釣竿２０の各構成について詳述するが、中竿摺動抑止部材１については前述した通りであり説明を省略する。
【００２３】
この釣竿２０は延べ竿（例えば鮎竿、へら竿、万能竿等）であり、手元竿である外竿１０と、外竿１０内に収納された７本の中竿１２ａ，１２ｂ，１２ｃ，１２ｄ，１２ｅ，１２ｆ，１２ｇがそれぞれ先端側（図中上方）に向かって細くテーパーに形成されており、内部に存在する中竿ほど伸長すると先端側に位置するものであり、最内に収納されている中竿１２ａは先端に穂先を備えている。
【００２４】
中竿１２ａ以外の中竿１２ｂ，１２ｃ，１２ｄ，１２ｅ，１２ｆ，１２ｇおよび外竿１０はいずれも先端側が開口した中空体であり、外竿１０の先端側は、先端開口１１内にゴム栓１４ａが挿入され上栓１４によって封止されており、外竿１０の基端側は、螺合部１３ａを備えた尻栓１３により封止されている。
【００２５】
また、内部に収納される中竿ほど長手方向の長さが短く形成されており、内側の中竿がその外側の中竿または外竿に収納されるように構成されている。なお、中竿１２ｂ，１２ｃ，１２ｄ，１２ｅ，１２ｆ，１２ｇおよび外竿１０の肉厚は図面上では省略されている。
【００２６】
さらに、中竿１２ａの基端部の外径は、中竿１２ａを収納する中竿１２ｂの先端部の内径より小さく形成されており、中竿１２ａを中竿１２ｂに対して相対的に先端側に移動させると、中竿１２ｂの先端部の内面に中竿１２ａの基端部の外面が係止され、中竿１２ｂの先端開口から中竿１２ａが離脱しない状態で伸長するように構成されている。同様にして内側の中竿はそれを収納する中竿によって、または中竿１２ｇは外竿１０によって基端部が係止されて伸長するように構成されている。
【００２７】
そして、外竿１０の先端開口１１より一端側から中竿摺動抑止部材１が挿入されることにより、図２に示すように、外竿１０内の複数の中竿１２ａ，１２ｂ，１２ｃ，１２ｄ，１２ｅ，１２ｆ，１２ｇがそれぞれ中竿摺動抑止部２の表面（側面）にて係止されている。
【００２８】
具体的には、外竿１０内に中竿摺動抑止部材１が挿入されると、中竿１２ｂ，１２ｃ，１２ｄ，１２ｅ，１２ｆ，１２ｇの先端開口にそれぞれ中竿摺動抑止部２の表面（側面）が位置し、また、中竿１２ａについては穂先付近に中竿摺動抑止部２の先端部が位置するため、中竿１２ａ，１２ｂ，１２ｃ，１２ｄ，１２ｅ，１２ｆ，１２ｇが中竿摺動抑止部２によって係止され、外竿１０内における中竿１２ａ，１２ｂ，１２ｃ，１２ｄ，１２ｅ，１２ｆ，１２ｇの長手方向または径方向への摺動が抑止されるように構成されている。これにより、釣竿２０の損傷を防止することができ、釣竿の長期使用が可能となる。
【００２９】
なお、各中竿１２ｂ，１２ｃ，１２ｄ，１２ｅ，１２ｆ，１２ｇの他端側（先端側、具体的には図２または図３中上端側）開口内周部に中竿摺動抑止部２の外面が押圧するように接触していることが各中竿１２ｂ，１２ｃ，１２ｄ，１２ｅ，１２ｆ，１２ｇの摺動を確実に抑止することができ好ましいが、両者が触れる程度に接触するもの、両者が若干離間することとなる中竿摺動抑止部材を配した釣竿も本発明の範疇に包含される。
【００３０】
さらに、図４に示した本発明の中竿摺動抑止部材の他の実施例について説明する。
この実施例の中竿摺動抑止部材３０と前述した中竿摺動抑止部材１との相違は、中竿摺動抑止部材３０の中竿摺動抑止部３１および長さ調整部３２の表面（側面）に長手方向に延在した６本の長溝部３３が等角度（６０°）離間して設けられている点である。これにより、長溝部３３が収縮することで中竿摺動抑止部３１を各中竿の先端開口から侵入させ易くなると共に、侵入後は長溝部３３が拡張する反力（反発力）によって各中竿に対してより強い係止力を与えることができる。
【００３１】
なお、この実施例の中竿摺動抑止部材３０では、長手方向に延在した６本の長溝部３３が等角度（６０°）離間して設けられているがこれに限定されるものではなく、一以上の長溝部が中竿摺動抑止部の表面（側面）に設けられたものは広く本発明の範疇に包含される。
【００３２】
さらに、図５に示した本発明の中竿摺動抑止部材の他の実施例について説明する。
この実施例の中竿摺動抑止部材４０と前述した中竿摺動抑止部材１との相違は、中竿摺動抑止部材４０の中竿摺動抑止部４１および長さ調整部４２が多角錐形状に形成されている点である。これにより、多角錐の角部が各中竿の先端開口の内周に当接して強い係止力を有する中竿摺動抑止部材が構成される。なお、この実施例の中竿摺動抑止部材４０は五角形の多角錐であるが、これに限定されるものではなく、３角以上の多角錐は広く本発明の範疇に包含される。
【００３３】
さらに、図６ないし図８に示した本発明の中竿摺動抑止部材の他の実施例について説明する。
この実施例の中竿摺動抑止部材６０と前述した中竿摺動抑止部材１との基本的な相違は、中竿摺動抑止部材６０の中竿摺動抑止部６１の表面（側面）が外反り形状に形成されている点と、中竿摺動抑止部６１の他端側に上栓部６２が設けられている点である。
【００３４】
具体的には、中竿摺動抑止部材６０の中竿摺動抑止部６１は、図６または図８に示すように、表面（側面）が外方に向って膨出し、流線形となって外形が曲線（放物線）となる外反り形状に形成されている。これにより、外反り形状の部位が各中竿の先端開口の内周を押圧して係止力がより強い中竿摺動抑止部材を構成できる。
【００３５】
また、この実施例の中竿摺動抑止部材６０は、図６ないし図８に示すように、中竿摺動抑止部６１の他端側に上栓部６２が取り付けられている。これにより、中竿摺動抑止部材を釣竿に装着した際、上栓部が上栓として機能すると共に、装着を外す際にも、上栓部を把持して中竿摺動抑止部材を容易に引き抜くことができる。
【００３６】
なお、この実施例の上栓部６２は有底筒状体に形成され、中竿摺動抑止部材６０の他端側が上栓部６２内に挿嵌されて固着されているが、これに限定されるものでなく、中竿摺動抑止部６１の他端側に上栓部６２が設けられたものを広く包含するものであり、例えば筒状体ではなく円柱体を接着材で固着したものなどでもよい。また、この実施例の上栓部６２は金属材料にて形成されているが、これに限定されるものではなく、樹脂材料、木質系材料など他の材料にて形成されていてもよい。
【００３７】
エア抜き溝６３は、中竿摺動抑止部材を釣竿に装着する際にエア抜きとして機能する部位であり、釣竿内の空気はこのエア抜き溝６３を通って外部に抜けるため、中竿摺動抑止部材の釣竿への装着をスムースに行うことができる。この実施例のエア抜き溝６３は、図６に示すように、中竿摺動抑止部材１の他端側の表面（側面）に長手方向に沿って形成された長溝であり、中竿摺動抑止部材を釣竿に装着した際に、中竿のうち最も外側に位置する中竿１２ｇの先端開口より基端側に位置する部位付近から中竿摺動抑止部材の他端までの間に渡って形成されている。これにより、釣竿内のすべての空気が、中竿１２ｇの先端開口より基端側に位置する部位からこのエア抜き溝６３を通って外方に抜けるため、中竿摺動抑止部材の釣竿への装着をよりスムースに行うことができる。
【００３８】
また、図６に示すように、中竿摺動抑止部６１の他端側に上栓部６２を設ける場合には、上栓部６２の内部に位置する中竿摺動抑止部材６０の表面（側面）にも、エア抜き溝６３が延びて形成されていることが好ましい。これにより、中竿摺動抑止部材１の他端側に上栓部６２を被嵌する際に上栓部６２内の空気がエア抜き溝６３を通って外部に抜けるため、上栓部６２の被嵌を確実かつスムースに行うことができる。
【符号の説明】
【００３９】
１    中竿摺動抑止部材
２    中竿摺動抑止部
３    長さ調整部
１０  外竿
１１  先端開口
１２ａ，１２ｂ，１２ｃ，１２ｄ，１２ｅ，１２ｆ，１２ｇ  中竿
１３  尻栓
１４  上栓
２０  釣竿
【図１】
0005861227.tif 000002
【図２】
0005861227.tif 000003
【図３】
0005861227.tif 000004
【図４】
0005861227.tif 000005
【図５】
0005861227.tif 000006
【図６】
0005861227.tif 000007
【図７】
0005861227.tif 000008
【図８】
0005861227.tif 000009
【図９】
0005861227.tif 000010
【図１０】
0005861227.tif 000011